(57)【要約】【課題】  ベランダや窓等の目隠し、及び遮光、遮音等への適用、又は、相当の風にも耐えうるよう割り竹風材質とし、更に、和風の風情を醸し出すよう編成、ガーデニング及び玄関周りの装飾用としても対応できる多目的装飾竹簀垂れを得ること。【解決手段】  竹を所用の長さに切断分割し、表裏をガス等の炎等で焙焼し、油分及び水分等を抽出させて乾燥せしめ、艶出しを施して整形した竹１を素材とする。  同様に処理した、裏当て補強竹２と表装飾補強竹３を使用し、前述した整形した竹１を横方向に並列に、裏当て補強竹２と表装飾補強竹３をそれに対して直角に表裏に配し、シュロ縄風のナイロン縄４で飾り編みを施す際に整形した竹１間に適宜な隙間を持たせることにより、ベランダ、窓等の目隠し及び遮光、通風、遮風、遮音、等に対応せしめる。【選択図】  図１
0003103918.tif 000002
【実用新案登録請求の範囲】
【請求項１】
所用の長さに切断し、更に、やや幅広の適応の幅に分割した後、表裏を炭火又はガス等の炎等で焙焼し、油分及び水分等を抽出させて乾燥せしめ、艶出しを施して整形した竹（１）を素材として得る多目的装飾竹簀垂れ。
【請求項２】
上記請求項１記載の方法によって得た整形した竹（１）を横直列並行に連続して所用の幅長に並べ、整形した竹（１）同様に処理し適応の長さと幅に整形した裏当て補強竹（２）を裏面に当て、小径の黒竹等の表装飾補強竹（３）を表面に配し、整形した竹（１）の並列に対して直角に、且つ、両端よりやや中央寄りに２列配置し、シュロ縄風のナイロン縄（４）及び色針金（５）等で補強固定を兼ねた飾り編みをして固定し、シュロ縄風のナイロン縄（４）及び色針金（５）等の各々の両端を適宜余分に残した、ベランダ取り付け縄（６）を具備することを特徴とする請求項１記載の多目的装飾飾竹簀垂れ。
【請求項３】
請求項１記載の方法によって得る整形した竹（１）の一部を得る際に別途、紅葉等の図柄（８）又は模様を適数適箇所に焼き色定着を施し、裏当て補強竹（２）のみを裏面の適応する位置に２本通し当て、緩やかな弧を描く流水を模し適当数箇所を蛇行させて並列に所用の幅長に並べ、シュロ縄風ナイロン縄（４）及び色針金（５）等で補強固定を兼ねた飾り編みを施す請求項１、２記載の多目的装飾飾竹簀垂れ。
【考案の詳細な説明】
【技術分野】
【０００１】  本考案は、竹をやや幅広に整形したものを用いて形成し、ベランダ、窓等の目隠し及び遮光、通風、遮風、遮音、に適用すると同時に、ガーデニング等にも応用して、和風の雰囲気を醸し出す装飾もかねる多目的装飾竹簀垂れに関する。
【背景技術】
【０００２】  従来の目隠し部材は、主としてベランダ及び窓等の目隠し、又は遮音等に適用するもので、材質もプラスチック又はアクリル材等を使用したものであった。【０００３】  例えば、特開２００２−３０２９９６号「ベランダカーテン」においては、ベランダの手摺と物干し竿の間にネット状のカーテンを張り巡らし目隠しとした。【０００４】  特開２００２−２２７２９３号「目隠し部材」では、多数の穴が配列されて形成された板状部材に、穴の直径よりもメッシュが細かい網を接着させて一体化させたもので、ベランダや網戸に取り付け通気性を保ちながら目隠しを可能とした。
【考案の開示】
【考案が解決しようとする課題】
【０００５】  本考案は、ベランダや窓等の目隠し、及び遮光、遮音等への適用は勿論、相当の風にも耐えうるよう割り竹風材質とし、更に、和風の風情を醸し出すよう編成、ガーデニング及び玄関周りの装飾用としても対応できる多目的装飾竹簀垂れを提供しようとするものである。
【課題を解決するための手段】
【０００６】  竹を所用の長さに切断し、更に、やや幅広の適応の幅に分割した後、表裏を炭火又はガス等の炎等で焙焼し、油分及び水分等を抽出させて乾燥せしめ、艶出しを施して整形したものを素材とする。【０００７】  前述した整形した竹同様に処理し、適応の長さと幅に整形した裏当て補強竹と、小径の黒竹等の表装飾補強竹を同じく素材とする。【０００８】  整形した竹を横方向に並列に、裏当て補強竹と表装飾補強竹をそれに対して直角に表裏に配し、シュロ縄風のナイロン縄及び色針金等で補強固定を兼ねた飾り編みを施す際に整形した竹間に適宜な隙間を持たせることにより、ベランダ、窓等の目隠し及び遮光、通風、遮風、遮音、等に対応せしめる。【０００９】  整形した竹の一部を得る際に別途、紅葉等の図柄又は模様を適数適箇所に焼き色定着を施し、裏当て補強竹のみを裏面の適応する位置に２本通し当て、緩やかな弧を描く流水を模し適当数箇所を蛇行させて並列に所用の幅長に並べ、シュロ縄風ナイロン縄及び色針金等で補強固定を兼ねた飾り編みを施すことにより、和風の風情を醸し出すよう編成、ガーデニング及び玄関周りの装飾用としても対応できるものとした。
【考案の効果】
【００１０】  本考案はベランダ等に取り付けることにより、室内の目隠し及び遮光、通風、遮風、遮音、に著しい効果をもたらすものである。【００１１】  素材に竹やシュロ縄風のナイロン縄を使用することにより、日本人的情緒に訴え和風の雰囲気を醸し出す装飾品も兼ねることにより、ベランダという場所を和みの空間として提供するものである。【００１２】  本考案は素材及びベランダとの結束にシュロ縄風のナイロン縄や色針金を適宜使用することにより堅牢な構造とし、屋外環境という状況に安全に対処するものである。【００１３】  整形した竹の一部を得る際に別途、紅葉等の図柄又は模様を適数適箇所に焼き色定着を施したり、並列配置する際に緩やかな弧を描く流水を模し、適当数箇所を蛇行させて並べることによりデザイン的に優れたものとなり、ベランダ以外の装飾品として多用途に用いることが出来る。
【考案を実施するための最良の形態】
【００１４】  本考案は、整形した竹１、裏当て補強竹２、表装飾補強竹３、を色針金５及びシュロ縄風のナイロン縄４を用いて図１のように成形し、ベランダに取り付け、窓等の目隠し及び遮光、通風、遮風、遮音、に適用すると同時に、ベランダ部分に和風の雰囲気を醸し出す装飾品としても用いる。【００１５】  図１に示す上部のベランダ取り付け部７を、ベランダ上部横パイプ等に巻き被せ、竹簀垂れ両側に設置してある色針金５、ベランダ取り付け縄６を、ベランダの縦柵パイプ等に結び付けて固定する、下方も同様にしてベランダの下部縦柵パイプ等に竹簀垂れ下部の両側に設置してある色針金５、ベランダ取り付け縄６で結び付け固定する。【００１６】  又、それぞれの結束部は屋外環境に耐え得るよう、色針金５で結束した後シュロ縄風のナイロン縄４で化粧結束を施している。【００１７】  図４に示すように整形した竹１の一部を得る際に別途、紅葉等の図柄８又は模様を適数適箇所に焼き色定着を施し、裏当て補強竹２のみを裏面の適応する位置に２本通し当て、緩やかな弧を描く流水を模し適当数箇所を蛇行させて並列に所用の幅長に並べ、シュロ縄風ナイロン縄４及び色針金５等で補強固定を兼ねた飾り編みを施すことにより、和風の風情を醸し出すよう編成、ガーデニング及び玄関周りの装飾用としても対応できるものとした。
【実施例】
【００１８】  本考案を横向きに使用すれば竹垣となる。【００１９】  ドア全面に使用すれば和風開き戸となる。【００２０】  玄関入り口や玄関内の装飾壁掛けとして使用する。【００２１】  壁等に掛け、Ｓ字金物等を付ければ花鉢吊るしや台所の小物下げとなる。
【図面の簡単な説明】
【００２２】
【図１】  本考案の斜視図である。
【図２】  右側面図である。
【図３】  背面図である。
【図４】  流水を模した多目的装飾竹簀垂れの正面図である。
【符号の説明】
【００２３】  １．  整形した竹
２．  裏当て補強竹
３．  表装飾補強竹
４．  シュロ縄風のナイロン縄
５．  色針金
６．  ベランダ等取り付け縄
７．  ベランダ等取り付け部
８．  図柄
【図１】
0003103918.tif 000003
【図２】
0003103918.tif 000004
【図３】
0003103918.tif 000005
【図４】
0003103918.tif 000006
【手続補正書】
【提出日】平成16年4月16日(2004.4.16)
【手続補正１】
【補正対象書類名】実用新案登録請求の範囲
【補正対象項目名】全文
【補正方法】変更
【補正の内容】
【実用新案登録請求の範囲】
【請求項１】
所要の長さと所定の幅に整形した竹（１）を横直列並行に連続して所要の幅長に並べ、適応の長さと幅に整形した裏当て補強竹（２）を裏面に当て、小径の黒竹等の表装飾補強竹（３）を表面に配当し、整形した竹（１）の並列に対して直角に、且つ、両端よりやや中央寄りに２列配置し、シュロ縄風のナイロン縄（４）及び色針金（５）等で補強と固定を兼ねた飾り編みを施して成形し、シュロ縄風のナイロン縄（４）及び色針金（５）等の各々の両端を適宜余分に残し、ベランダ取り付け縄（６）としてしつらえ具備することを特徴とする多目的装飾竹簀垂れ。
【請求項２】
整形した竹（１）の一部に、紅葉の図柄（８）等の模様を適数適箇所に焼き色定着を施し、裏当て補強竹（２）のみを裏面の適応する位置に２本通し当て、緩やかな弧を描く流水を模すよう適当適箇所を蛇行させて所要の幅長に並べ、シュロ縄風ナイロン縄（４）及び色針金（５）等で補強と固定を兼ねた飾り編みを施して形成する請求項１記載の多目的装飾竹簀垂れ。
【手続補正２】
【補正対象書類名】明細書
【補正対象項目名】全文
【補正方法】変更
【補正の内容】
【考案の詳細な説明】
【技術分野】
【０００１】          本考案は、竹をやや幅広に整形したものを用いて形成し、ベランダ、窓等の目隠し及び遮光、通風、遮風、遮音等に適用すると同時に、ガーデニング等にも応用して、和風の雰囲気を醸し出し、装飾もかねる多目的装飾竹簀垂れに関する。
【背景技術】
【０００２】          従来の目隠し部材は、主としてベランダ及び窓等の目隠し、又は遮音等に適用するもので、材質も極細の竹、プラスチック又はアクリル材等を使用したものであった。【０００３】          例えば、特開２００２−３０２９９６号「ベランダカーテン」においては、ベランダの手摺と物干し竿の間にネット状のカーテンを張り巡らして目隠しとした。【０００４】          特開２００２−２２７２９３号「目隠し部材」では、多数の穴が配列されて形成された板状部材に、穴の直径よりもメッシュが細かい網を接着させて一体化させたもので、ベランダや網戸に取り付け通気性を保ちながら目隠しを意図したものである。
【考案の開示】
【考案が解決しようとする課題】
【０００５】          本考案は、ベランダや窓等の目隠し、及び遮光、遮音等への適用は勿論、相当の風圧にも耐えうるよう幅広の割り竹を材質とし、更に、和風の風情を醸し出すよう編成、ガーデニング及び玄関周りの装飾用としても対応できる多目的装飾竹簀垂れを提供しようとするものである。
【課題を解決するための手段】
【０００６】幅広に整形した竹を横直列並行に連続して所要の幅長に並べ、直角に交わるように裏当て補強竹と表装飾補強竹を表裏に配し、シュロ縄風のナイロン縄及び色針金等で補強固定せしめ、竹間に適宜な隙間を持たせることにより、ベランダ、窓等の目隠し及び遮光、通風、遮風、遮音等両用の応用に対応させる。【０００７】          整形した竹の別途一部に、紅葉等の図柄又は模様を適数適箇所に焼き色定着を施し、裏当て補強竹のみを裏面の適応する位置に２本通し当て、緩やかな弧を描く流水を模すよう適当適箇所を蛇行させて並列に所要の幅長に並べ、シュロ縄風ナイロン縄及び色針金等で補強と固定を兼ねた飾り編みを施すことにより、和風の風情を醸し出すよう編成、ガーデニング及び玄関周りの装飾用としても対応できるものとした。
【考案の効果】
【０００８】          本考案になる多目的装飾竹簀垂れの１例をベランダ等に取り付けることにより、室内の目隠し及び遮光と採光、通風と遮風の相反する二面性を適度に調整し、且つ、遮音に著しい効果をもたらすものである。【０００９】          素材に整形を施した自然竹やシュロ縄風のナイロン縄を使用することにより、日本人的情緒に訴え和風の雰囲気を醸し出す装飾品も兼ねることにより、ベランダという場所を和みの空間として提供するものである。【００１０】          本考案は素材及びベランダとの結束にシュロ縄風のナイロン縄や色針金を適宜使用することにより堅牢な構造とし、屋外環境という状況に安全に対処するものである。【００１１】          整形した竹の一部を得る際に別途、紅葉等の図柄又は模様を適数適箇所に焼き色定着を施したり、並列配置する際に緩やかな弧を描く流水を模し、適当適箇所を蛇行させて並べることによりデザイン的に優れたものとなり、ベランダ以外の装飾品として多用途に用いることが出来る。【００１２】本考案の名称を多目的装飾竹簀垂れと称したように、ユーザーのニーズで本考案を横向きに使用すれば竹垣等に利用でき、ドア全面に用いれば和風開き戸となる、また、玄関入り口や玄関内の装飾用壁掛けとしてもよいし、Ｓ字金物等を付ければ花鉢吊るしや台所の小物下げ等と、その使用目的により多岐にわたり応用することができる。
【考案を実施するための最良の形態】
【００１３】          本考案は、整形した竹１、裏当て補強竹２、表装飾補強竹３、を色針金５及びシュロ縄風のナイロン縄４を用いて図１のように成形し、ベランダに取り付け、窓等の目隠し及び遮光、通風、遮風、遮音等に適用すると同時に、ベランダ部分に和風の雰囲気を醸し出す装飾品としても用いる。
【実施例】
【００１４】          図１に示す上部のベランダ取り付け部７を、ベランダ上部横パイプ等に巻き被せ、竹簀垂れ両側に設置してある色針金５、ベランダ取り付け縄６を、ベランダの縦柵パイプ等に結び付けて固定する、下方も同様にしてベランダの下部縦柵パイプ等に竹簀垂れ下部の両側に設置してある色針金５、ベランダ取り付け縄６で結び付け固定する。【００１５】          又、それぞれの結束部は屋外環境に耐え得るよう、色針金５で結束した後シュロ縄風のナイロン縄４で化粧結束を施している。【００１６】          図４に示すように整形した竹１の別途一部に、紅葉等の図柄８又は模様を適数適箇所に焼き色定着を施し、裏当て補強竹２のみを裏面の適応する位置に２本通し当て、緩やかな弧を描く流水を模すよう適当適箇所を蛇行させて並列に所用の幅長に並べ、シュロ縄風ナイロン縄４及び色針金５等で補強と固定を兼ねた飾り編みを施すことにより、和風の風情を醸し出すよう編成、ガーデニング及び玄関周りの装飾用としても対応できるものとした。
【図面の簡単な説明】
【００１７】
【図１】            本考案の斜視図である。
【図２】            右側面図である。
【図３】            背面図である。
【図４】            流水を模した多目的装飾竹簀垂れの正面図である。
【符号の説明】
【００１８】            １．  整形した竹
２．  裏当て補強竹
３．  表装飾補強竹
４．  シュロ縄風のナイロン縄
５．  色針金
６．  ベランダ等取り付け縄
７．  ベランダ等取り付け部
８．  図柄